(57)【要約】  フィルタカートリッジは、ポートを有する一体型ハウジングと、該ハウジング内に配置された濾過要素とを含む。濾過要素は、コヒーレントフィルタブロックであり、該フィルタブロックは、ポートよりも大きな断面寸法であることができるが、必ずしもそうとは限らない。一実施形態では、濾過要素は、中空の内部の形状に概ね同形であるが濾過要素と内表面との間に隙間を画定するように中空の内部よりもわずかに小さいコヒーレントフィルタブロックである。フィルタカートリッジを組み立てる一方法は、中空の内部と少なくとも１つのポートとを有するハウジングを提供する工程と、ポートを通じて粒状材料を中空の内部に導入する工程と、中空材料内の粒状材料をコヒーレントフィルタブロックへと転換させる工程とを含む。フィルタカートリッジを組み立てる他の方法は、コヒーレントフィルタブロックの形態をした濾過要素を提供する工程と、該濾過要素の周りにハウジングをオーバーモールドする工程とを含む。
2009530201.tif 000002
【特許請求の範囲】
【請求項１】
互いに接合されて内部区画室を形成する、前側パネルと、前記前側パネルに対向する後側パネルと、対向するサイドパネルと、頂部パネルと、前記頂部パネルに対向する底部パネルとを有する容器と、前記前側パネル、前記後側パネル、前記対向するサイドパネル、前記頂部パネル及び前記底部パネルが、可撓性シート材料を含み；
脆弱線と、前記脆弱線の少なくとも一部が、前記前側パネル内に位置決めされ、前記脆弱線が、前記容器から分離される予め定められた部分又はスリットを画定し、前記予め定められた部分又はスリットが、開口寸法を有し；
前記容器の前記内部区画室内に積み重ねて配置される複数個のポーチと、各前記ポーチが、ポーチ長手方向センターライン及びポーチ横方向センターラインを有し、一対のポーチ長手方向縁部が、前記ポーチ横方向センターラインに沿って配置されると共に一対のポーチ横方向縁部が、前記ポーチ長手方向センターラインに沿って配置され、ポーチ長手方向縁部長さが、前記一対のポーチ横方向縁部の間の距離によって画定され、ポーチ横方向縁部幅が、前記一対のポーチ長手方向縁部の間の距離によって画定され；
複数個の折りたたまれた吸収性物品と、少なくとも１つの折りたたまれた吸収性物品が、各ポーチ内に収納され；
を有し
前記ポーチ長手方向縁部長さ及び少なくとも１つの前記ポーチ横方向縁部幅が、前記開口寸法より大きいことを特徴とする、吸収性物品の包装体。
【請求項２】
前記脆弱線が、前記容器から分離される予め定められた部分を画定し、前記脆弱線の一部が、前記頂部パネル内に位置決めされる、請求項１に記載の吸収性物品の包装体。
【請求項３】
前記ポーチ横方向縁部幅が、２倍を超えて前記開口寸法より大きい、請求項１又は２のいずれか１項に記載の吸収性物品の包装体。
【請求項４】
前記ポーチ横方向縁部の１つが、前記前側パネルに対向し、前記頂部パネルに平行である、請求項１〜３のいずれか１項に記載の吸収性物品の包装体。
【請求項５】
前記ポーチ横方向縁部の１つが、前記頂部パネルに対向し、前記前側パネルに平行である、請求項１〜３のいずれか１項に記載の吸収性物品の包装体。
【請求項６】
前記折りたたまれた吸収性物品が、二度折りたたみ又は三度折りたたみされている、請求項１〜５のいずれか１項に記載の吸収性物品の包装体。
【請求項７】
前記ポーチが、前記ポーチ長手方向縁部長さを前記ポーチ横方向縁部幅で除すことにより定義されるアスペクト比を有し、前記アスペクト比が、０．５〜１．２である、請求項１〜６のいずれか１項に記載の吸収性物品の包装体。
【請求項８】
前記容器が、単一積み重ね体内に配置された１０〜４０個のポーチを収納する、請求項１〜７のいずれか１項に記載の吸収性物品の包装体。
【請求項９】
前記吸収性物品が、生理用ナプキン、パンティライナー及び失禁製品からなる群から選択される、請求項１〜８のいずれか１項に記載の吸収性物品の包装体。
【請求項１０】
前記底部パネルが、底部パネル表面積及び底部パネル最大縁部長さを有し、前記底部パネル表面積が、７，３００平方ミリメートル未満であり、前記底部パネル最大縁部長さが、９０ｍｍ未満である、請求項１〜９のいずれか１項に記載の吸収性物品の包装体。
【発明の詳細な説明】
【技術分野】
【０００１】
本発明は、吸収性物品の包装体に関する。
【背景技術】
【０００２】
小売業者は、一般に吸収性物品を１つ以上の吸収性物品が封入される容器で消費者に販売する。容器によっては、２０以上ほどの多くの吸収性物品を収納する場合がある。消費者は、吸収性物品を容器から取り出すために容器を開封しなければならない。
【０００３】
しばしば、消費者は、吸収性物品を直ちに使用する必要があるが、未開封容器をきちんと開封する好適な手段を取得するぜいたくを有していない。容器が、容器内に脆弱線または取り外し可能なシールなどの開封機構を有していない場合、消費者には、容器を引き裂いて開封する選択が残される。容器が、可撓性シート材料から構成される場合、消費者によりもたらされる開口部は、所望のように機能しない場合がある。例えば、開口部があまりにも小さい場合、容器内に到達し１つの吸収性物品を把持することは、消費者には、困難な場合がある。開口部が余りにも大きい場合、消費者は、１つの吸収性物品を容易に把持できるが、残りの吸収性物品が、容器からこぼれるおそれがある。更に、消費者が容器を引き裂いて開封する場合、消費者は、容器外部の製品説明及び銘柄素性を損なうおそれがある。消費者製品企業は、消費者と意思疏通することによってそれらの製品の銘柄素性を構築し、消費者が購入決定をするのに役立つよう多大な努力を費やしている。これらの努力は、拙く機能する容器によりくつがえされるおそれがある。
【０００４】
吸収性物品の製造者は、多くの場合個々の吸収性物品をポーチ内に定置し、使用前の吸収性物品の汚染を防止している。例えば、パンティライナー及び生理用ナプキンは、通常ポーチ内に包装され、そのため、ユーザーは、物品を容器から得ることができ、消費者が物品を使用する必要が生じるまで物品を消費者のポケット又はさいふのまわりに携行することができる。吸収性物品は、全て又は一部の吸収性物品がポーチ内に封入された状態で折りたたみ構成のポーチ内に定置されてもよい。ポーチの異なる縁部は、異なる輪郭及び厚さを有してもよく、いくつかの縁部は、ポーチの縁部の形状にもよるが、消費者が他のものより把持するのに容易であってもよい。
【０００５】
典型的な消費者は、通常一度に１つだけ吸収性物品を使用する。多数の吸収性物品を収納する容器から吸収性物品を得るため、消費者は、１つの手で容器を保持し、消費者の別の手の消費者の親指と人差し指を使って１つの吸収性物品を把持する。吸収性物品用の従来の容器は、消費者の動作の複雑な人間工学に取り組んでいない。吸収性物品用の多くの容器は、大き過ぎて片方の手で容易に把持できない。いくつかの容器が把持される場合、多数の吸収性物品が容器の開口部を通って放出される場合がある。別の容器では、ポーチ内に封入される吸収性物品は、消費者が取り出すのが困難な場合がある、というのは、容易に把持することができるポーチの縁部は、容器の開口部を介して消費者に示されていない。
【０００６】
消費者は、多くの場合吸収性物品を容器内に残し、容器を開封後、容器を引き出し又は戸棚に格納する。しばしば、容器が格納される場所は、他の家事目的のために使用される。消費者及び消費者の家族が日々の生活で動き回る際、容器は、変形され、つぶされ、ひっくり返され、容器が格納されている棚から払いのけられ、又は消費者により落とされる場合がある。現在市場にある吸収性物品の多くの容器が、格納時不満足にしか機能しない、というのは、そこに収納される吸収性物品が、格納時容器からこぼれるからである。
【発明の開示】
【発明が解決しようとする課題】
【０００７】
これらの制限を頭におくと、開封が容易で、開封後容器の外観を保持する吸収性物品の包装体に関して、継続して取り組まれるべき必要性がある。更に、消費者が容器から１つの吸収性物品を容易に取り出すことができることに関連した人間工学に取り組む吸収性物品の包装体に関して、継続して取り組まれるべき必要性がある。また、開封時、消費者が１つの吸収性物品を取り出すことを可能にし、追加の吸収性物品が格納時容器から容易にこぼれない吸収性物品の包装体に関して、継続して取り組まれるべき必要性がある。
【課題を解決するための手段】
【０００８】
吸収性物品の包装体を開示する。包装体は、互いに接合されて内部区画室を形成する、前側パネル幅を有する前側パネルと、前側パネルに対向する後側パネルと、対向するサイドパネルと、頂部パネル幅を有する頂部パネルと、頂部パネルに対向する底部パネルとを有する容器である。パネルは、可撓性シート材料を含む。包装体は、脆弱線を含み、脆弱線の少なくとも一部は、前側パネル内に位置決めされる。１つの実施形態では、脆弱線は、容器から分離される予め定められた部分を画定する。予め定められた部分は、開口寸法を含む。包装体は、容器の内部区画室内に積み重ねて配置される複数個のポーチと、各ポーチが、ポーチ長手方向センターライン及びポーチ横方向センターラインを有し、一対のポーチ長手方向縁部が、ポーチ横方向センターラインに沿って配置されると共に一対のポーチ横方向縁部が、ポーチ長手方向センターラインに沿って配置され、ポーチ長手方向縁部長さが、一対のポーチ横方向縁部の間の距離によって画定され、ポーチ横方向縁部幅が、一対のポーチ長手方向縁部の間の距離によって画定される。ポーチ長手方向縁部長さ及びポーチ横方向縁部幅が、開口寸法を超えることができる。包装体は、複数個の折りたたまれた吸収性物品を含み、少なくとも１つの折りたたまれた吸収性物品は、各ポーチ内に収納される。代替の実施形態では、脆弱線が開口部スリットを画定する。
【０００９】
１つの実施形態では、脆弱線の一部が、頂部パネル内に位置決めされる。他の実施形態では、ポーチ横方向縁部幅は、約２倍を超えて開口寸法より大きい。他の実施形態では、ポーチ横方向縁部の１つは、実質的に前側パネルに対向し、実質的に頂部パネルと平行である。他の実施形態では、ポーチ横方向縁部の１つは、実質的に頂部パネルに対向し、実質的に前側パネルと平行である。他の実施形態では、折りたたまれた吸収性物品は、二度折りたたみ又は三度折りたたみされている。他の実施形態では、ポーチは、ポーチ長手方向縁部長さをポーチ横方向縁部幅で除すことにより定義されるアスペクト比を有し、アスペクト比は、約０．５〜約１．２である。他の実施形態では、容器は、単一積み重ね体内に配置される約１０〜約４０個のポーチを収納する。他の実施形態では、容器は、２つ又はそれ以上の積み重ね体内に配置される約３０〜約１００個のポーチを収納し、各積み重ね体は、概ね等しい数のポーチを含む。１つの実施形態では、吸収性物品は、生理用ナプキン、パンティライナー及び失禁製品からなる群から選択される。１つの実施形態では、底部パネルは、底部パネル表面積及び底部パネル最大縁部長さを有し、底部パネル表面積は、約７，３００平方ミリメートル未満であり、底部パネル最大縁部長さは、約９０ｍｍ未満である。１つの実施形態では、吸収性物品は、液体透過性トップシート、トップシートに接合したバックシート及びトップシートとバックシートの間に位置決めされる吸収性コアを含む。
【発明を実施するための最良の形態】
【００１０】
本明細書で使用するとき、用語「接合した」とは、第１部材が直接又は間接のいずれかで第２部材に接続されている状態を指す。第１部材が中間部材に接続されている場合、それは、順次第２部材に接続され、第１部材及び第２部材は、間接的に接合される。
【００１１】
取り付けたとは、第１部材が、少なくとも一度第２部材から分離されてもよく、及び第１部材を第２部材から分離する際、１つ以上の部材が破壊され、歪められ、ないしは別の方法で損なわれる状態を指す。
【００１２】
取り外し可能に取り付けたとは、第１部材が、少なくとも一度第２部材からいずれか一方の部材の破壊、過度の変形又は過度の損傷もなく分離できる状態を指す。
【００１３】
本明細書で使用するとき、ラインとは、真っ直ぐな及び湾曲した部分の組み合わせである直線、湾曲した線又は線を指す。
【００１４】
本明細書で使用するとき、生理用ナプキンとは、月経のある女性により使用される道具を指す。
【００１５】
本明細書で使用するとき、パンティライナーとは、膣排泄物又は軽い月経を吸収するため女性により使用される道具を指す。
【００１６】
本明細書で使用するとき、失禁用具とは、限定された腸又は膀胱抑制を有する人間により使用される吸収性物品を指す。
【００１７】
本明細書で使用するとき、積み重ねられたとは、物品が、任意の向きに互いと実質的に対向した関係で配列される用品の配置を指す。
【００１８】
図１は、吸収性物品８の包装体を示す。吸収性物品８の包装体は、容器１０を含む。容器１０は、前側パネル１２、前側パネル１２に対向する後側パネル１４、対向するサイドパネル１６、頂部パネル１８及び頂部パネル１８に対向する底部パネル２０を含む、そしてそれらは、一緒に接合され内部区画室２２を形成する。前側パネル１２とは、ユーザーが容器１０から吸収性物品を取り出しているときに一般にユーザーに対向するように意図されたパネルを指す。
【００１９】
容器１０は、可撓性シート材料２４又は任意の他の好適な材料を含んでもよい。可撓性シート材料２４は、不規則に形成された表面に適合した材料である。可撓性シート材料２４は、プラスチック、プラスチックフィルム、布地、紙、ポリマーフィルム類、不織布ウェブ類又は布地類及び織布ウェブ類又は布地類を含む材料であることができるがこれらに限定されない。可撓性シート材料２４は、低密度ポリエチレン及び線状低密度ポリエチレン、メタロセン類、エチレンビニルアセテート、サーリン（SURLYN）、ポリエチレンテレフタレート、２軸配向ポリプロピレン並びにナイロンのブレンド状態のブローン又はキャストフィルム材料であることができる。可撓性シート材料２４は、一緒に積層される２つ又はそれ以上の可撓性シート材料を含んでもよい。１つの好適な可撓性シート材料２４は、サウスカロライナ州スパータンバーグ（Spartanburg）のエクソパック社（Exopack LLC）から入手可能なエクソパック（Exopack）１０２０フィルムである。
【００２０】
容器１０のパネルは、接着剤結合、熱接着、超音波結合及びその類などの可撓性シート材料２４から容器を作製する当該技術分野において既知の手段により接合することができる。パネルは、ひだ付き容器に形成される可撓性シート材料２４の単一シートを含んでもよく、実質的に平らなパネルを有する容器をもたらす。可撓性シート材料２４の単一シートから容器１０を形成するのに好適な他の方法も使用することができる。容器１０は、「フローラップ」プロセスを含む当該技術分野において既知の方法により作製でき、そこでは、材料のウェブが、搬送され、切断され、折りたたまれ、継ぎ合わされ、充填され、閉じられる。
【００２１】
図１に示したように、吸収性物品８の包装体は、脆弱線４０を含む。脆弱線４０は、脆弱線４０がこわれやすいような当該技術分野において周知の他の手段を使用し予め定められたラインに沿って可撓性シート材料２４に切り取り線をつけ又は可撓性シート材料２４を弱めることにより形成することができる。脆弱線４０の少なくとも一部は、前側パネル１２に位置されてもよい。ある実施形態では、脆弱線４０は、もっぱら前側パネル１２に位置することができる。図２に示したように、脆弱線４０の一部は、頂部パネル１８に位置することができる。前側パネル１２に位置した脆弱線４０の部分は、前側パネル１２に位置した脆弱線４０の長さによって画定される前側パネル脆弱線長さ４２を有することができる。頂部パネル１８に位置した脆弱線４０の部分は、頂部パネル１８に位置した脆弱線４０の長さにより画定される頂部パネル脆弱線長さ４４を有することができる。前側パネル脆弱線長さ４２は、頂部パネル脆弱線長さ４４とほぼ同じであることができ、又は前側パネル脆弱線長さ４２は、頂部パネル脆弱線長さ４４と異なることができる。
【００２２】
脆弱線４０は、容器１０の予め定められた部分５０を画定することができ、容器１０から分離することができる。予め定められた部分５０は、開口寸法６００を有することができ、開口寸法６００は、予め定められた部分５０の最大寸法である。予め定められた部分５０は、平らにされると実質的に円形状を有することができる。別の方法としては、予め定められた部分５０は、平らにされると湾曲した縁部又は直線縁部と湾曲した縁部の組み合わせを有する実質的に楕円形状、多角形又は不規則な形状であることができる。予め定められた部分５０は、ほぼ任意の形状であることができる。平らにされた場合実質的に円形状を有する予め定められた部分５０に関しては、開口寸法６００は、実質的に円形状の直径である。平らにされた場合多角形形状を有する予め定められた部分５０に関しては、開口寸法６００は、互いから最も遠くにある２つの頂点間の長さである。不規則形状の予め定められた部分５０に関しては、開口寸法６００は、予め定められた部分５０の最大寸法である。
【００２３】
図２及び３に示したように、予め定められた部分５０は、部分的に前側パネル１２及び部分的に頂部パネル１８内に存在することができる。図２及び３は、容器１０を示し、そこでは、脆弱線４０は、部分的に前側パネル１２及び部分的に頂部パネル１８内に位置する。図３の脆弱線４０は、平らにされると実質的に円形状を含む予め定められた部分５０を画定する。図４に示した代替の実施形態では、予め定められた部分５０は、容器１０の前側パネル１２全体に存在することができる。
【００２４】
図５は、容器１０を示し、そこでは、予め定められた部分５０は、容器１０から分離され、それにより開口部を残し、少なくとも１つの吸収性物品を収納するポーチ２００は、それを介して取り出すことができる。図５に示した吸収性物品の包装体の実施形態では、予め定められた部分５０は、実質的に円形であるが、示されていない、というのは、図５は、消費者が、容器１０から予め定められた部分５０を分離した後の容器を示しているからである。図６に示したように、消費者は、一方の手の消費者の親指６と人差し指４を使いポーチ２００を把持する。消費者が予め定められた部分５０を容器１０から分離するときにもたらされる容器１０内の穴を通して、消費者は、ポーチ２００を容器１０から引っ張る。引張応力に耐えるため、消費者は、典型的に消費者の別の手の親指と人差し指でサイドパネル１６を把持し、おそらく同じ手のたなごころ内で容器の底部パネル２０を支える。開口寸法６００は、消費者の親指６と人差し指４が容易にゆったりと容器内に収まるのに十分な大きさだけが必要である。
【００２５】
図１に示したように、脆弱線４０は、開口寸法６００を有する開口部スリット６０を画定することができる。開口部スリット６０に関して、開口寸法６００は、脆弱線４０の長さである。
【００２６】
開口寸法６００は、頂部パネル幅約７５５の半分及び前側パネル幅７５０の約半分であることができる。開口寸法６００は、頂部パネル幅７５５の約２／３及び前側パネル幅７５０の約２／３であることができる。開口寸法６００は、頂部パネル幅７５５の約半分未満及び前側パネル幅７５０の約半分未満であることができる。
【００２７】
図７は、ポーチ２００の実施形態の構成要素を示す。ポーチ２００は、第１パネル長手方向センターラインＬ１、第１パネル長手方向センターラインＬ１に対して直交し及び第１パネル２１０と面内にある第１パネル横方向センターラインＴ１、第１パネルの内の方に向いた面２１２及び第１パネルの内の方に向いた面２１２に対向する第１パネルの外の方に向いた面２１４を有する第１パネル２１０を含むことができる。第１パネル２１０は、一般に第１パネル横方向センターラインＴ１に沿って配置される一対の第１パネル長手方向側部縁部２１６を有する。第１パネル２１０は、一般的に第１パネル長手方向センターラインＬ１に沿って配置される第１パネル下横方向縁部２１８を有し、及び第１パネル下横方向縁部２１８に沿って第１パネル長手方向側部縁部２１６間の距離により画定される第１パネル下横方向縁部幅５２０を有する。第１パネル２１０は、一般的に第１パネル長手方向センターラインＬ１に沿って配置される第１パネル上横方向縁部２２８及び第１パネル上横方向縁部２２８に沿って第１パネル長手方向側部縁部２１６間の距離により画定される第１パネル上横方向縁部幅５２２を有する。
【００２８】
第１パネル下横方向縁部幅５２０及び第１パネル上横方向縁部幅５２２の内、少なくとも１つは、開口寸法６００を超えることができる。第１パネル下横方向縁部幅５２０は、開口寸法６００を超えることができる。第１パネル上横方向縁部幅５２２は、開口寸法６００を超えることができる。第１パネル上横方向縁部幅５２２及び第１パネル下横方向縁部幅５２０は、両方とも開口寸法６００を超えることができる。第１パネル長手方向側部縁部２１６は、第１パネル下横方向縁部２１８と第１パネル上横方向縁部２２８間の距離により画定される第１パネル長手方向側部縁部長さ５５０を有する。第１パネル長手方向側部縁部長さ５５０は、開口寸法６００を超えることができる。
【００２９】
図７に示したポーチ２００は、更に第２パネル２３０を含み並びに第２パネル長手方向センターラインＬ２、一般に第２パネル長手方向センターラインＬ２に対して直交し第２パネル２３０と面内にある第２パネル横方向センターラインＴ２、第２パネルの内の方に向いた面２３２及び第２パネルの内の方に向いた面２３２に対向する第２パネルの外の方に向いた面２３４を有する。第２パネル２３０は、一般に第２パネル横方向センターラインＴ２に沿って配置される一対の第２パネル長手方向側部縁部２３６を有する。第２パネル２３０は、一般的に第２パネル長手方向センターラインＬ２に沿って配置される第２パネル下横方向縁部２３８を有し、及び第２パネル下横方向縁部２３８に沿って第２パネル長手方向側部縁部２３６間の距離により画定される第２パネル下横方向縁部幅６２０を有する。第２パネル２３０は、一般的に第２パネル長手方向センターラインＬ２に沿って配置される第２パネル上横方向縁部２４８及び第２パネル上横方向縁部２４８に沿った第２パネル長手方向側部縁部２３６間の距離によって画定される第２パネル上横方向縁部幅６２２を有する。
【００３０】
第２パネル下横方向縁部幅６２０及び第２パネル上横方向縁部幅６２２の内、少なくとも１つは、開口寸法６００より大きい。第２パネル下横方向縁部幅６２０は、開口寸法６００を超えることができる。第２パネル上横方向縁部幅６２２は、開口寸法６００を超えることができる。第２パネル下横方向縁部幅６２０及び第２パネル上横方向縁部幅６２２は、両方とも開口寸法６００を超えることができる。第２パネル長手方向側部縁部２３６は、第２パネル下横方向縁部２３８と第２パネル上横方向縁部２４８間の距離により画定される第２パネル長手方向側部縁部長さ６５０を有する。第２パネル長手方向側部縁部長さ６５０は、開口寸法６００を超えることができる。
【００３１】
第１パネル下横方向縁部幅５２０、第１パネル上横方向縁部幅５２２、第２パネル下横方向縁部幅６２０及び第２パネル上横方向縁部幅６２２は、約１．５倍を超えて開口寸法６００より大きくすることができる。第１パネル長手方向側部縁部長さ５５０及び第２パネル長手方向側部縁部長さ６５０は、約１．５倍を超えて開口寸法６００より大きくすることができる。第１パネル下横方向縁部幅５２０、第１パネル上横方向縁部幅５２２、第２パネル下横方向縁部幅６２０及び第２パネル上横方向縁部幅６２２は、約２倍を超えて開口寸法６００より大きくすることができる。
【００３２】
ポーチ２００は、低密度ポリエチレン及び線状低密度ポリエチレン、メタロセン類、エチレンビニルアセテート、サーリン（SURLYN）、ポリエチレンテレフタレート、２軸配向ポリプロピレン、ナイロン、織布、不織布、複合積層材料及びこれらの組合せのブレンド状態のポリマーフィルム、ブローン又はキャストフィルム材料を含むがこれらに限定されない全ての可撓性材料を含んでもよい。
【００３３】
第１パネル２１０及び第２パネル２３０は、シート材料の一体成形を含んでもよい。第１パネル２１０及び第２パネル２３０は、図８に示した構成に折りたたまれ、折りたたみ線４００を形成してもよい。折りたたみ線４００は、第１パネル下横方向縁部２１８及び第２パネル下横方向縁部２３８と一致することができる。第１パネル長手方向センターラインＬ１及び第２パネル長手方向センターラインＬ２は、一般に第１パネル２１０と第２パネル２３０を分離する折りたたみ線４００に対して直交することができる。
【００３４】
第２パネル長手方向側部縁部２３６は、第２パネルの内の方に向いた面２３２が第１パネルの内の方に向いた面２１２に対向するように第１パネル長手方向側部縁部２１６に取り外し可能に取り付けられてもよい。第２パネル長手方向側部縁部２３６は、熱シール、圧力シール、接着剤、グルー、超音波シール又は他の種類のシールを含むがこれらに限定されないシールにより第１パネル長手方向側部縁部２１６に取り外し可能に取り付けられてもよい。
【００３５】
ポーチ２００は、ポーチ長手方向センターラインＬＰ及びポーチ横方向センターラインＴＰを有する。ポーチ長手方向センターラインＬＰは、一般に折りたたみ線４００に対して直交する。ポーチ横方向センターラインＴＰは、一般にポーチ長手方向センターラインＬＰに対して直交し、ポーチ２００と面内にある。ポーチ２００は、一般にポーチ横方向センターラインＴＰに沿って配置される一対のポーチ長手方向縁部２８６を有する。ポーチ２００は、一般にポーチ長手方向センターラインＬＰに沿って配置される一対のポーチ横方向縁部２８８を有する。ポーチ長手方向縁部長さ７００は、一対のポーチ横方向縁部２８８間の距離である。ポーチ横方向縁部幅８００は、一対のポーチ長手方向縁部２８６間の距離である。
【００３６】
ポーチ長手方向縁部長さ７００は、開口寸法６００を超えることができる。ポーチ横方向縁部幅８００は、開口寸法６００を超えることができる。ポーチ長手方向縁部長さ７００及びポーチ横方向縁部幅８００は、両方とも開口寸法６００を超えることができる。ポーチ横方向縁部幅８００は、約１．５倍を超えて開口寸法６００より大きくすることができる。ポーチ横方向縁部幅８００は、約２倍を超えて開口寸法６００より大きくすることができる。ポーチ長手方向縁部長さ７００は、約１．５倍を超えて開口寸法６００より大きくすることができる。ポーチは、ポーチ長手方向縁部長さ７００をポーチ横方向縁部幅８００で除すことにより定義されるアスペクト比を有するとして記載される場合がある。いくつかの実施形態では、ポーチアスペクト比は、約０．５〜約１．２であることができる。いくつかの実施形態では、ポーチアスペクト比は、約０．７５〜約１であることができる。
【００３７】
ポーチ２００は、図９に示すようなフラップパネル２６０を更に含むことができる。フラップパネル２６０も図７に示され、そこでは、フラップパネル２６０は、フラップパネル２６０が第２パネル２３０に接合されることになる向きに示されている。フラップパネル２６０は、フラップパネル長手方向センターラインＬＦ、一般にフラップパネル長手方向センターラインＬＦに対して直交し、フラップパネル２６０と面内にあるフラップパネル横方向センターラインＴＦ、フラップパネルの内の方に向いた面２６２及びフラップパネルの内の方に向いた面２６２に対向するフラップパネルの外の方に向いた面２６４を有する。フラップパネル長手方向センターラインＬＦは、一般に第１パネル２１０と第２パネル２３０を分離する折りたたみ線４００に対して直交する。
【００３８】
フラップパネル２６０は、一般にフラップパネル横方向センターラインＴＦに沿って配置される一対のフラップパネル長手方向側部縁部２６６を有する。フラップパネル２６０は、一般にフラップパネル長手方向センターラインＬＦに沿って配置されるフラップパネル下横方向縁部２６８を有する。フラップパネル下横方向縁部２６８は、接着剤結合、熱接着、超音波結合及びその類などを含むがこれらに限定されない当該技術分野において既知の任意の方法を使用し第２パネル上横方向縁部２４８に接合できる。フラップパネル２６０、第２パネル２３０及び第１パネル２１０は、図９に示した構成に折りたたまれるシート材料の一体成形を含むことができる。
【００３９】
フラップパネル下横方向縁部２６８は、フラップパネル長手方向側部縁部２６６間の距離により画定されるフラップパネル下横方向縁部幅９００を有する。フラップパネル下横方向縁部幅９００は、開口寸法６００を超えることができる。フラップパネル下横方向縁部幅９００は、約１．５倍を超えて開口寸法６００より大きくすることができる。フラップパネル下横方向縁部幅９００は、約２倍を超えて開口寸法６００より大きくすることができる。
【００４０】
図９に示したように、フラップパネル長手方向側部縁部２６６は、フラップパネルの内の方に向いた面２６２が第１パネルの外の方に向いた面２１４に対向するように第１パネル長手方向側部縁部２１６に取り外し可能に取り付けることができる。フラップパネル長手方向側部縁部２６６は、熱シール、圧力シール、接着剤、グルー、超音波シールを含むがこれらに限定されないシールにより第１パネル長手方向側部縁部２１６に取り外し可能に取り付けることができる。
【００４１】
ポーチ２００は、引張り処理タブ２８０も含むことができる。ポーチ２００がフラップパネル２６０を含まない場合、図１０に示したように引張り処理タブ２８０の一部は、第１パネル２１０に取り外し可能に取り付けることができ、引張り処理タブ２８０の一部は、第２パネル２３０に接合、取り付け又は取り外し可能に取り付けることができる。別の方法としては、引張り処理タブ２８０は、引張り処理タブ２８０が第２パネル２３０の延伸部であるように第２パネル２３０の一体部分であることができる。当該技術分野において既知である引張り処理タブ２８０の他の構成も使用することができる。
【００４２】
ポーチ２００がフラップパネル２６０を含む場合、引張り処理タブ２８０の一部は、第１パネル２１０に取り外し可能に取り付けることができ、引張り処理タブ２８０の一部は、フラップパネル２６０に接合、取り付け又は取り外し可能に取り付けることができる。別の方法としては、引張り処理タブ２８０は、引張り処理タブ２８０がフラップパネル２６０の延伸部であるようにフラップパネル２６０の一体部分であることができる。米国特許番号第５，５６９，２３０号（フィッシャー（Fisher）らに発行）、米国特許番号第５，７９２，１３１号（ミズタニ（Mizutani）に発行）及び米国特許番号第５，６８３，３７７号（ミズタニ（Mizutani）に発行）は、引張り処理タブ２８０を含むポーチを開示している。
【００４３】
吸収性物品３００の実施形態の例を図１１に示す。吸収性物品は、生理用ナプキン、パンティライナー、失禁製品又は他の類似の吸収性物品であり、着用者の股間に着用できる。吸収性物品３００は、長手方向センターラインＬＡ及び１つ以上の吸収性物品横方向軸線ＴＡを有する。本明細書で使用するとき、吸収性物品３００に関する用語長手方向とは、吸収性物品３００が着用者の股間に着用される際、立っている着用者を左右の体半分に二分する垂直な平面（例えば、実質的に平行）と一般に一直線になる吸収性物品３００の平面内の線、軸線又は方向を指す。吸収性物品３００に関する用語横方向とは、一般に長手方向に対して直交する吸収性物品３００の平面内に位置する線、軸線又は方向を指す。
【００４４】
吸収性物品３００が、図１２に示したように１つの吸収性物品横方向軸線ＴＡを有する場合、吸収性物品３００は、吸収性物品横方向軸線ＴＡあたりで折りたたまれ、折りたたみ線３３０を形成する。折りたたみ線３３０は、吸収性物品３００を第１吸収性物品部分３１０と第２吸収性物品部分３２０に分割し、折りたたみ線３３０は、第１吸収性物品部分３１０と第２吸収性物品部分３２０の境界を画定する。吸収性物品３００が１つの吸収性物品横方向軸線ＴＡを有する構成は、本明細書で「二度折り」配置と呼ばれることになる。
【００４５】
図１３に示したように吸収性物品３００が、第２吸収性物品横方向軸線ＴＡ２を有する場合、吸収性物品３００は、吸収性物品横方向軸線ＴＡあたりで折りたたまれ第１折りたたみ線３３０を形成することができ、第２吸収性物品横方向軸線ＴＡ２あたりで折りたたまれ第２折りたたみ線３３５を形成することができる。第１折りたたみ線３３０は、第１吸収性物品部分３１０と第２吸収性物品部分３２０の境界を画定する。第２折りたたみ線３３５は、第２吸収性物品部分３２０と第３吸収性物品部分３４０の境界を画定する。吸収性物品３００が吸収性物品横方向軸線ＴＡのあたりで折りたたまれ及び第２吸収性物品横方向軸線ＴＡ２あたりで折りたたまれる構成は、本明細書で「三度折り」配置と呼ばれることになる。
【００４６】
多様な構成要素を含む吸収性物品３００を図１４に示す。吸収性物品３００は、液体透過性トップシート３５０及びトップシート３５０に接合されるバックシート３７０を含むことができる。バックシート３７０は、バックシートの内の方に向いた面３７２及びバックシートの内の方に向いた面３７２に対向するバックシートの外の方に向いた面３７４（図１５に示す）を有する。吸収性物品３００は、更にトップシート３５０とバックシート３７０の間に位置決めされる吸収性コア３６０を含むことができる。
【００４７】
１つの好適な液体透過性トップシート３５０は、商標名ドライ−ウィーブ（DRI-WEAVE）（登録商標）としてオハイオ州シンシナティ（Cincinnati）のプロクター・アンド・ギャンブル社（The Procter and Gamble Co.）により販売されている孔あきポリマーフィルムである。他の好適な液体透過性トップシート３５０が、米国特許番号第４，６２９，６４３号に開示されており、インディアナ州テレホーテ（Terre Haute）トレデガー・フィルム・プロダクツから表記Ｘ２７１２１として得ることができる。吸収性コア３６０は、テネシー州メンフィス（Memphis）のバックアイ・テクニロジーズ社（Buckeye Technologies Inc.）から入手可能なフォリーフラフ（Foley Fluff）紙であることができ、それは、解体され、約０．０７グラム／立方センチメートル（ｇ／ｃｍ3）の密度及び約３ｍｍのキャリパーを有するコアに形成される。バックシート３７０は、任意の好適な可撓性材料であることができ、一般にポリオレフィンフィルムのような液体不透過性又は耐液体性材料である。
【００４８】
図１５に示したように吸収性物品３００は、更に接着締結具３８０を含むことができる。接着締結具３８０は、図１５に示したようにバックシートの外の方に向いた面３７４上にあることができる。接着締結具３８０は、着用者のパンティと一時的な固着を確立することができるホットメルト接着剤材料であることができる。好適な材料は、カナダ、オンタリオ州トロント（Toronto）のＨ．Ｂ．フラー（Fuller）から市販のＨＬ−１４９１  ＸＺＰ表記の組成物である。
【００４９】
吸収性物品３００は、接着締結具３８０に取り外し可能に取り付けられる剥離ストリップ３９０も含むことができる。剥離ストリップ３９０は、フィルム、クラフトパルプ、光沢紙又は当該技術分野において既知の他の材料から作製できる。接着締結具に対向する剥離ストリップ３９０の側部は、シリコーンなどの剥離コーティングをコーティングできる。好適な剥離ストリップ３９０の例としては、ウィスコンシン州メナシャ（Menasha）のアクロジル（Akrosil）により市販の「シロックス（SILOX）」４Ｒ／Ｏ及びシロックス（Silox）Ｃ１Ｓが挙げられる。
【００５０】
吸収性物品３００は、様々な向きでポーチ２００内に定置できる。図１６は、三度折り配置を示し、吸収性物品３００は、接着締結具３８０を含み、第１吸収性物品部分３１０内に位置した接着締結具３８０は、第１パネルの内の方に向いた面２１２に取り外し可能に取り付けられ、第２吸収性物品部分３２０内に位置した接着締結具３８０は、第２パネルの内の方に向いた面２３２に取り外し可能に取り付けられ、及び第３吸収性物品部分３４０内に位置した接着締結具３８０は、フラップパネルの内の方に向いた面２６２に取り外し可能に取り付けられる。
【００５１】
吸収性物品３００をポーチ２００内にあるとして記載したことに関して、吸収性物品３００は、吸収性物品３００の一部又は全体の吸収性物品３００が第１パネル２１０と第２パネル２３０の間にある場合ポーチ２００内にあると考えられる。吸収性物品３００は、ポーチ２００内に向けることができる、その結果、吸収性物品横方向軸線ＴＡは、実質的にポーチ横方向センターラインＴＰ又はポーチ長手方向センターラインＬＰと平行である。吸収性物品３００は、ポーチ２００内に向けることができる、その結果、第２吸収性物品横方向軸線ＴＡ２は、存在する場合、実質的にポーチ横方向センターラインＴＰ又はポーチ長手方向センターラインＬＰと平行である。
【００５２】
図１７は、三度折り配置の断面図を示し、吸収性物品３００は、接着締結具３８０及び剥離ストリップ３９０を含み、第１吸収性物品部分３１０内に位置した剥離ストリップ３９０は、第１パネルの内の方に向いた面２１２に取り付けられ、第２吸収性物品部分３２０内に位置した剥離ストリップ３９０は、第２パネルの内の方に向いた面２３２に取り付けられ、及び第３吸収性物品部分３４０内に位置した剥離ストリップ３９０は、フラップパネルの内の方に向いた面２６２に取り付けられる。別の方法としては、第１吸収性物品部分３１０内に位置した剥離ストリップ３９０は、第１パネルの内の方に向いた面２１２に取り外し可能に取り付け又は接合でき、第２吸収性物品部分３２０内に位置した剥離ストリップ３９０は、第２パネルの内の方に向いた面２３２に取り外し可能に取り付け又は接合でき、及び第３吸収性物品部分３４０内に位置した剥離ストリップ３９０は、フラップパネルの内の方に向いた面２６２に取り外し可能に取り付け又は接合できる。接着剤は、剥離ストリップ３９０をポーチ２００の構成要素に取り付け、取り外し可能に取り付け又は接合するために使用できる。剥離ストリップ３９０をポーチ２００の構成要素に取り付け、取り外し可能に取り付け又は接合する接着剤は、接着締結具３８０の剥離力を超える剥離力を有することができる。
【００５３】
図１８は、二度折り配置の断面図を示し、ポーチ２００は、フラップパネル２６０を含む。吸収性物品３００は、二度折りされ、第１吸収性物品部分３１０は、第１パネルの内の方に向いた面２１２に取り外し可能に取り付けられる。第２吸収性物品部分３２０も、第２パネルの内の方に向いた面２３２に取り外し可能に取り付けることができる。第１吸収性物品部分３１０及び第２吸収性物品部分３２０の両方がポーチ２００のパネルに取り外し可能に取り付けられる必要はない。
【００５４】
図１９は、二度折り配置の断面図を示し、ポーチ２００は、フラップパネル２６０を含み、吸収性物品３００は、二度折りされ、第１吸収性物品部分３１０は、第２パネルの内の方に向いた面２３２に取り外し可能に取り付けられる。第２吸収性物品部分３２０もフラップパネルの内の方に向いた面２６２に取り外し可能に取り付けることができる。第１吸収性物品部分３１０及び第２吸収性物品部分３２０の両方がポーチ２００のパネルに取り外し可能に取り付けられる必要はない。
【００５５】
図１８及び１９に示されるもののような二度折り配置も吸収性物品３００が更に接着締結具３８０を含む場合機能することができる。吸収性物品３００も更に剥離ストリップ３９０を含むことができ、剥離ストリップ３９０の一部又は全てが、図１８及び１９に示したもののような構成のポーチ２００の１つ以上のパネルに取り付け、取り外し可能に取り付け又は接合することができる。
【００５６】
図２０は、二度折り配置を示し、ポーチ２００はフラップパネル２６０を含まない。第１吸収性物品部分３１０は、第１パネルの内の方に向いた面２１２に取り外し可能に取り付けでき、第２吸収性物品部分３２０は、第２パネルの内の方に向いた面２３２に取り外し可能に取り付けることができる。先に議論したように吸収性物品３００は、更に接着締結具３８０を含むことができる。接着締結具３８０は、図２０に示したような配置で第１パネルの内の方に向いた面２１２及び／又は第２パネルの内の方に向いた面２３２に取り外し可能に取り付けることができる。吸収性物品３００は、更に剥離ストリップ３９０を含むことができる。剥離ストリップ３９０は、図２０示したような配置で第１パネルの内の方に向いた面２１２及び／又は第２パネルの内の方に向いた面２３２に取り付け、取り外し可能に取り付け又は接合することができる。
【００５７】
ポーチ２００は、ポーチ横方向縁部２８８の１つが実質的に前側パネル１２に対向しているように容器１０内に定置できる。ポーチ２００は、ポーチ横方向縁部２８８の１つが実質的に頂部パネル１８に対向しているように容器１０内に定置できる。ポーチ２００は、ポーチ横方向縁部２８８の１つが実質的に前側パネル１２に対向し及び実質的に頂部パネル１８と平行であるように容器１０内に定置できる。ポーチ２００は、ポーチ横方向縁部２８８の１つが実質的に頂部パネル１８に対向し及び実質的に前側パネル１２と平行であるように容器１０内に定置できる。
【００５８】
理論により束縛されないが、本明細書に開示した吸収性物品８の包装体は、消費者に対して多くの利益があると思われる。脆弱線４０は、消費者が容器１０の手に負えない又は不規則な変形及び裂け目もなく制御された方法で吸収性物品８の包装体を開封可能とする。ポーチ２００は、吸収性物品３００を保護するように作用し、一方吸収性物品３００は、消費者が吸収性物品３００を容器１０から取り去った後開封容器１０に格納される。
【００５９】
ポーチ長手方向縁部長さ７００及びポーチ横方向縁部幅８００を開口寸法６００より大きくすることによりポーチ２００が容器１０から意図しない落下を起こすことは思いもかけない。
【００６０】
折りたたまれていない吸収性物品３００を収納するポーチ２００は、吸収性物品３００を保護する場合があるが、折りたたまれた吸収性物品３００はポーチ２００をより嵩高にし、消費者は、より容易に容器１０からポーチ２００を取り出すことができる。本明細書に開示したようにポーチ２００を容器１０内に向けることにより、消費者が予め定められた部分５０を容器１０から分離する際、ポーチの比較的厚く丸い縁部がもたらされた開口部を通して消費者に提供されると思われる。従って、図６に示したように消費者は、消費者の親指６と人差し指４を容器１０に容易に差し込むことができ、ポーチ２００を１つだけ把持できる。
【００６１】
吸収性物品３００を折りたたむことで容器１０の最も大きい寸法もより小さくでき、消費者は、１つの手で容器１０を容易に取り扱うことができる。吸収性物品３００を二度折りたたむことで更により小さい容器１０を使用できる。生理用ナプキン、パンティライナー及び失禁製品などの吸収性物品３００は、典型的に約１２０ｍｍ〜約２８０ｍｍ長さ及び約４０ｍｍ〜約８０ｍｍ幅である。従って、二度折りたたまれた吸収性物品３００は、約６０ｍｍ〜約１４０ｍｍ長さであることができ、三度折りたたまれた吸収性物品３００は、約４０ｍｍ〜約９５ｍｍ長さであることができる。三度折りたたまれた吸収性物品３００は、二度折りたたまれた吸収性物品３００よりもよりコンパクトに折りたたむことができる。
【００６２】
ポーチ２００の寸法は、その中に収納される折りたたまれた吸収性物品３００より少しだけ大きくすることが必要である。消費者が予め定められた部分５０を容器１０又は開口部スリット６０から分離する際、消費者は、もたらされた開口部を通してポーチ２００を引っ張るのでそこに収納されるポーチ２００及び吸収性物品３００は、開口部を通して引っ張られることに対する耐性を有する。開口部又は開口部スリット６０を通して収まるポーチ２００の場合、そこに収納されるポーチ２００及び吸収性物品３００は変形する。図６に示したように変形した形状は、消費者が予め定められた部分５０を容器１０から分離する際もたらされる開口部の部分の形状におおよそ適合するアーチ様形状であることができる。変形した形状は、予め定められた部分５０又は開口部スリット６０の形状により他の形状であることができる。消費者が予め定められた部分５０を容器１０から分離する際もたらされる開口部の形状は、容器１０が可撓性シート材料２４を含むため消費者が開口部を通してポーチ２００を引っ張るときに変形させることもできる。ひとたび消費者が容器１０からポーチ２００を完全に引き出すとポーチ２００は平らに伸びる傾向があり、容器１０の形状は、容器１０がポーチ２００を取り去る前に有した形状に跳ね返ることになる。
【００６３】
容器１０は、任意の数のポーチ２００又は吸収性物品３００を収納することができる。実質的に長方形平行六面体形状を有する容器１０は、消費者により容易に取り扱うことができる。実質的なキュービック形状容器１０は、有用な構成であることができる。いくつかの実施形態では、容器１０は、各ポーチが三度折りたたまれた少なくとも１つの吸収性物品３００を収納した状態で約１０〜約４０個のポーチを収納してもよい。いくつかの実施形態では、実質的にたなごころ寸法の容器は、ユーザーが取り扱うのに便利である。底部パネル２０は、約７３００平方ミリメートル未満である表面積を有することができ、底部パネルの最大縁部長さは、約９０ｍｍ未満であることができる。
【００６４】
三度折りたたまれた吸収性物品３００を有する単一積み重ね体内に３０個のポーチを収納する容器１０が好適であることができる。代替の実施形態では、容器１０は、約３０〜約１００個のポーチ２００を収納することができ、そこでは、図２１に示したように吸収性物品３００は、三度折りたたまれ、ポーチ２００は、２つ又はそれ以上の積み重ね体内に配置することができ、それぞれがほぼ等しい数のポーチを含む。
【００６５】
「発明を実施するための最良の形態」で引用したすべての文献は、関連部分において本明細書に参考として組み込まれるが、いずれの文献の引用も、それが本発明に対する先行技術であることを容認するものと解釈されるべきではない。この記載された文献内の用語の全ての意味又は定義が、参照として組み込まれた文献内の用語の全ての意味又は定義と相反する限り、この記載された文献内の用語に指定された意味又は定義が支配するものとする。
【００６６】
本発明の特定の実施形態を説明及び記述してきたが、本発明の精神及び範囲から逸脱することなく様々なその他の変更及び修正を行えることが、当業者には明白であろう。したがって、本発明の範囲内にあるそのような全ての変更及び修正を、添付の特許請求の範囲で扱うものとする。
【図面の簡単な説明】
【００６７】
【図１】脆弱線が開口部スリットである吸収性物品の包装体の切欠図。
【図２】脆弱線の一部が前側パネルでありおよび脆弱線の一部が頂部パネルである吸収性物品の包装体の切欠図。
【図３】前側パネル脆弱線長さが頂部パネル脆弱線長さとほぼ同じである容器を示す。
【図４】予め定められた部分がもっぱら容器の前側パネルに存在する吸収性物品の包装体の切欠図。
【図５】予め定められた部分が容器から分離される容器を示す。
【図６】消費者が容器からポーチを取り去るため消費者の一方の手の親指と人差し指を使用していることを示す。
【図７】ポーチの構成要素を示す。
【図８】フラップパネルを含まない部分的に開封されたポーチを示す。
【図９】フラップパネルを含む部分的に開封されたポーチを示す。
【図１０】フラップパネルを含まない及び引張り処理タブを含むポーチを示す。
【図１１】１つの横方向軸線を含む吸収性物品を示す。
【図１２】１つの横方向軸線のあたりで折りたたまれた吸収性物品を示す。
【図１３】２つの横方向軸線あたりで折りたたまれた吸収性物品を示す。
【図１４】吸収性物品の切欠図。
【図１５】図１４のＡ〜Ａ'部分の断面図。
【図１６】フラップを有するポーチ内に接着締結具を含む三度折りたたみされた吸収性物品の断面図。
【図１７】フラップを有するポーチ内に接着締結具及び剥離ストリップを含む三度折りたたみされた吸収性物品の断面図。
【図１８】ポーチが、フラップパネルを含み、第１吸収性物品部分が、第１パネルの内の方に向いた面に取り外し可能に取り付けられ、第２吸収性物品部分が、第２パネルの内の方に向いた面に取り外し可能に取り付けられる二度折りたたみの配置を示す。
【図１９】ポーチが、フラップパネルを含み、第１吸収性物品部分が、第２パネルの内の方に向いた面に取り外し可能に取り付けられ、第２吸収性物品部分が、フラップパネルの内の方に向いた面に取り外し可能に取り付けられる二度折りたたみの配置を示す。
【図２０】ポーチはフラップパネルを含まず、第１吸収性物品部分が、第１パネルの内の方に向いた面に取り外し可能に取り付けられ、第２吸収性物品部分が、第２パネルの内の方に向いた面に取り外し可能に取り付けられる二度折りたたみの配置を示す。
【図２１】容器が２つの積み重ね体内に配置される約３０〜約１００個のポーチを収納する実施形態を示す切欠図。
【図１】
2009530201.tif 000003
【図２】
2009530201.tif 000004
【図３】
2009530201.tif 000005
【図４】
2009530201.tif 000006
【図５】
2009530201.tif 000007
【図６】
2009530201.tif 000008
【図７】
2009530201.tif 000009
【図８】
2009530201.tif 000010
【図９】
2009530201.tif 000011
【図１０】
2009530201.tif 000012
【図１１】
2009530201.tif 000013
【図１２】
2009530201.tif 000014
【図１３】
2009530201.tif 000015
【図１４】
2009530201.tif 000016
【図１５】
2009530201.tif 000017
【図１６】
2009530201.tif 000018
【図１７】
2009530201.tif 000019
【図１８】
2009530201.tif 000020
【図１９】
2009530201.tif 000021
【図２０】
2009530201.tif 000022
【図２１】
2009530201.tif 000023
【国際調査報告】
2009530201.tif 000024
2009530201.tif 000025